(57)【要約】【課題】  入力したキーワードに関連した情報と画像データとを取得し、効果的に印刷手段に出力すること。【解決手段】    テレビジョン放送波に重畳されるデータ放送用のデータを受信する受信部１Ｂと、入力されたキーワードに基づいて、前記データ放送用のデータの内、前記キーワードに関連した情報を検索する検索手段と、前記テレビジョン放送波を画像データとしてキャプチャーするキャプチャー部１Ｇと、前記キーワードに関連した情報とキャプチャー部１Ｇでキャプチャーされた画像データとを印刷部１Ｅに出力する出力手段と、を備えることを特徴とする情報処理装置。【選択図】  図２
2005277936.tif 000002
【特許請求の範囲】
【請求項１】
テレビジョン放送波に含まれる映像データと、該映像データに重畳されるデータ放送用の付加データと、を受信する受信手段と、
入力されたキーワードに基づいて、前記付加データの内、前記キーワードに関連した情報を検索する検索手段と、
前記映像データを画像データとしてキャプチャーするキャプチャー手段と、
前記キーワードに関連した情報と、前記キャプチャー手段でキャプチャーされた画像データと、を印刷手段に出力する出力手段と、
を備えることを特徴とする情報処理装置。
【請求項２】
前記キャプチャー手段でキャプチャーされた画像データを前記印刷手段に対応するデジタル画像データに変換する変換手段を更に備えることを特徴とする請求項１に記載の情報処理装置。
【請求項３】
前記キーワードに関連した情報と、前記キャプチャー手段でキャプチャーされた画像データと、を関連付けて記憶する記憶手段を備え、
前記出力手段は、前記記憶手段に記憶された前記情報と、該情報に関連付けて記憶された前記画像データと、を前記印刷手段に出力することを特徴とする請求項１又は請求項２に記載の情報処理装置。
【請求項４】
前記付加データに画像データが含まれるか否かを判定する判定手段を備え、
前記判定手段により前記付加データに画像データが含まれると判定された場合には、前記出力手段は、前記キーワードに関連した情報と、前記付加データに含まれる画像データと、を前記印刷手段に出力することを特徴とする請求項１乃至請求項３のいずれか１項に記載の情報処理装置。
【請求項５】
前記判定手段により前記付加データに画像データが含まれると判定された場合には、前記記憶手段は、前記キーワードに関連した情報と、前記付加データに含まれる画像データと、を関連付けて記憶することを特徴とする請求項４に記載の情報処理装置。
【請求項６】
前記テレビジョン放送波に含まれる電子化された番組表から前記印刷手段に出力するための放送データを選択する選択手段を備え、
前記出力手段は、前記選択手段で選択された前記放送データを前記印刷手段に出力することを特徴とする請求項１乃至請求項５のいずれか１項に記載の情報処理装置。
【請求項７】
前記付加データに含まれる情報を記憶する記憶手段と、
前記記憶手段に記憶された情報に基づいてリストを作成するリスト作成手段と、
前記リストを表示する表示手段と、
前記表示手段に表示されたリストから前記印刷手段に出力するための情報を選択する選択手段と、
を備え、
前記出力手段は、前記選択手段で選択された情報を前記印刷手段に出力することを特徴とする請求項３に記載の情報処理装置。
【請求項８】
テレビジョン放送波に含まれる映像データと、該映像データに重畳されるデータ放送用の付加データと、を受信する受信工程と、
キーワードを入力する入力工程と、
前記入力工程で入力されたキーワードに基づいて、前記付加データの内、前記キーワードに関連した情報を検索する検索工程と、
前記付加データに画像データが含まれる場合には、前記キーワードに関連した情報と前記付加データに含まれる画像データとを印刷手段に出力し、前記付加データに画像データが含まれない場合には、前記映像データを画像データとしてキャプチャーし該キャプチャーした画像データを前記キーワードに関連した情報と共に印刷手段に出力する出力工程と、
を含むことを特徴とする情報処理方法。
【請求項９】
前記出力工程は、前記映像データからキャプチャーした画像データを前記印刷手段に対応するデジタル画像データに変換する工程を含むことを特徴とする請求項８に記載の情報処理方法。
【発明の詳細な説明】
【技術分野】
【０００１】
本発明は、テレビジョン放送に関するデータを印刷手段に出力する情報処理装置及びその方法に関するものである。
【背景技術】
【０００２】
近年、テレビジョン放送の多様化に伴い、テレビジョン放送波に送信される映像や音声等の映像データの他に、放送内容に関する文字情報、図形、静止画像、動画画像、音声等の情報を送信するデータ放送が提供されている。一般に、データ放送には、アナログ放送で行われる「文字放送」とデジタル放送で行われる「デジタルデータ放送」とがある。ユーザーは、データ放送に対応したテレビジョン装置を用いて、ディスプレイに表示された画面を見ながら、リモコン等で印刷対象を特定し印刷を行うことができる。
【０００３】
しかしながら、このようなテレビジョン装置では、放送時に印刷対象を特定して印刷を行わなければならず、不在時などには所望の情報を記憶・印刷することができなかった。
【０００４】
これに対し、特許文献１は、データ放送で提供される特定分野情報に対応した番組データをキーワード検索して、予め設定した時間にキーワード検索により得られた番組データを印刷する技術を開示している。
【特許文献１】特開平１０−３２７１１４号公報
【発明の開示】
【発明が解決しようとする課題】
【０００５】
しかしながら、特許文献１で印刷される番組データは、受信したデータ放送で得られる情報に限られていた。このため、データ放送に画像データが含まれない場合には、テレビジョン放送の放送内容を示す文字情報と共にこれに関連する画像データを印刷することができなかった。
【０００６】
本発明はこのような事情を鑑みてなされたものであり、入力したキーワードに関連した情報と画像データとを取得し、効果的に印刷手段に出力することを目的とする。
【課題を解決するための手段】
【０００７】
本発明の第１の側面は、情報処理装置に係り、テレビジョン放送波に含まれる映像データと、該映像データに重畳されるデータ放送用の付加データと、を受信する受信手段と、入力されたキーワードに基づいて、前記付加データの内、前記キーワードに関連した情報を検索する検索手段と、前記映像データを画像データとしてキャプチャーするキャプチャー手段と、前記キーワードに関連した情報と、前記キャプチャー手段でキャプチャーされた画像データと、を印刷手段に出力する出力手段と、を備えることを特徴とする。
【０００８】
本発明の第２の側面は、情報処理方法に係り、テレビジョン放送波に含まれる映像データと、該映像データに重畳されるデータ放送用の付加データと、を受信する受信工程と、キーワードを入力する入力工程と、前記入力工程で入力されたキーワードに基づいて、前記付加データの内、前記キーワードに関連した情報を検索する検索工程と、前記付加データに画像データが含まれる場合には、前記キーワードに関連した情報と前記付加データに含まれる画像データとを印刷手段に出力し、前記付加データに画像データが含まれない場合には、前記映像データを画像データとしてキャプチャーし該キャプチャーした画像データを前記キーワードに関連した情報と共に印刷手段に出力する出力工程と、を含むことを特徴とする。
【発明の効果】
【０００９】
本発明によれば、入力したキーワードに関連した情報と画像データとを取得し、効果的に印刷手段に出力することができる。
【発明を実施するための最良の形態】
【００１０】
以下、添付図面を参照して本発明の好適な実施の形態を詳しく説明する。
[第１の実施形態]
図１は、本発明の好適な第１の実施形態に係る情報処理装置１の構成を示す概略図である。
【００１１】
情報処理装置１は、各装置の制御を司るＣＰＵ１Ａと、テレビジョン放送のうち、特にデータ放送を受信してデータの変換を行う受信部１Ｂと、データ放送からの情報を蓄えたり、その情報を表示・印刷したりするときに必要なバッファを含むメモリ１Ｃと、得られた情報の内容等を表示する表示部１Ｄと、得られた情報の内容等を印刷する印刷部１Ｅと、ユーザーからの指示を入力するためのリモコン等の入力部１Ｆと、受信部１Ｂで受信したテレビジョン放送波に含まれる映像データを画像データとしてキャプチャーするキャプチャー部１Ｇと、を備える。なお、印刷部１Ｅとしてはプリンタが挙げられる。印刷部１Ｅは、図１のように情報処理装置１に内蔵されてもよいし、情報処理装置１に外付されてもよい。
【００１２】
次に、テレビジョン放送における受信データについて説明する。図２は、テレビジョン放送の受信データの構成を説明する図である。
【００１３】
情報処理装置１は、受信部１Ｂを用いてテレビジョン放送を受信する。図２に示すように、この受信データには、テレビジョン放送用のテレビジョン放送波に含まれる音声や画像を有する映像データ２Ｂと、映像データ２Ｂに重畳されるデータ放送用の付加データ２Ａと、が含まれる。
【００１４】
付加データ２Ｂには、テレビジョン放送の放送内容に関する文字情報を構成するメタデータ（以下「文字情報」とも称する。）２Ｃ及び印刷用の高精細なディジタル画像データ２Ｄ等が含まれる。メタデータ２Ｃの例としては、番組名２Ｅ、番組カテゴリー２Ｆ、放送日時２Ｇ、出演者名２Ｈ、あらすじ２Ｉ等が挙げられる。メタデータ２Ｃのその他の例としては、例えば、インデックス２Ｊ、俳優名２Ｋ、項目名（コーナー名）２Ｌ等の放送内容を示す情報が挙げられる。インデックス２Ｊは、実際に該当する情報が放送される放送日時であっても良いし、映像データ２Ｂにおける該当する放送データの相対位置を示すものであれば、その放送データへのポインタであっても良い。
【００１５】
情報処理装置１は、メタデータ２Ｃに含まれる文字情報から、図３に示すキーワード入力方法で入力されたキーワードを検索し、メタデータ２Ｃに含まれる文字情報がこのキーワードに一致した場合に、このキーワードに関連する情報をメモリ１Ｃに記憶し、このキーワードに関連する情報を印刷部１Ｅに出力することによって、放送データを印刷することができる。
【００１６】
図３は、キーワード入力画面の表示例を示す図である。この表示例では、番組の出演者名のキーワードをリモコンを用いて入力する画面を示す。
【００１７】
情報処理装置１では、入力部１Ｆを用いて放送内容に関するキーワードを入力し、所望の情報を記憶及び印刷予約することができる。例えば、「ヤノン太郎」という出演者名をキーワードとして入力するためには、入力部１Ｆを操作して、５０音キー３Ａの中の文字ボタンをリモコン操作で選択し、選択した文字ボタンをカーソルで押し下げることによって、キーワード入力欄３Ｂに一文字ずつ「ヤノンタロウ」と入力される。出演者名の入力が終わったら、入力ボタン３Ｃをリモコン操作で押し下げることによって、キーワード入力が実行される。このキーワード入力により、データ検索用のキーワードが設定され、メモリ１Ｂに記憶される。
【００１８】
図４は、キーワード検索から放送データを印刷部１Ｅに出力するまでの処理を説明するフローチャートである。情報処理装置１は、テレビジョン放送を受信すると、以下の処理を実行する。
【００１９】
ステップＳ４０１では、受信部１Ｂが、テレビジョン放送波に含まれる映像データ２Ｂと映像データ２Ｂに重畳されるデータ放送用の付加データ２Ａとを受信し、付加データに含まれるメタデータ２Ｃを取得する。
【００２０】
ステップＳ４０２では、入力部１Ｆからキーワードを入力し、ＣＰＵ１Ａが、入力されたキーワードと付加データ２Ａに含まれるメタデータ２Ｃの内容とを比較する。
【００２１】
ステップＳ４０３では、ＣＰＵ１Ａが、ステップＳ４０２での比較の結果、入力部１Ｆで入力されたキーワードと一致するデータがメタデータ２Ｃに含まれる場合には（ステップＳ４０３で「はい」）ステップＳ４０４へ進み、一致するデータがない場合は（ステップＳ４０３で「いいえ」）処理を終了する。
【００２２】
ステップＳ４０４では、ＣＰＵ１Ａが、ステップＳ４０３でキーワードと一致したデータに基づいて、付加データ２Ａの内、このキーワードと一致したデータに関連した情報を検索する。ここで、このキーワードと一致したデータに関連した情報には、例えば、番組名２Ｅ、番組カテゴリー２Ｆ、放送日時２Ｇ、出演者名２Ｈ、あらすじ２Ｉ、インデックス２Ｊ、俳優名２Ｋ、項目名（コーナー名）２Ｌ等の文字情報及び印刷用のディジタル画像等の画像データ等が含まれる。なお、キーワードと一致したデータに関連した情報には、キーワードと一致したデータ（例えば、文字情報等）が含まれうる。
【００２３】
ステップＳ４０５では、ＣＰＵ１Ａが、付加データ２Ａに画像データが含まれるか否かを判定し、付加データ２Ａに画像データが含まれると判定した場合には、前記キーワードと一致したデータに関連した情報と付加データ２Ａに含まれる画像データとを印刷部１Ｅに出力し、付加データ２Ａに画像データが含まれないと判定した場合には、キャプチャー部１Ｇが受信部１Ｂで受信したテレビジョン放送波を画像データとしてキャプチャーした後に、キャプチャーした画像データを前記キーワードと一致したデータに関連した情報と共に印刷部１Ｅに出力する。また、ＣＰＵ１Ａは、画像データがテレビジョン放送波を画像データとしてキャプチャーした画像データである場合には、キャブチャーした画像データを印刷用のディジタル画像に変換し、前記文字情報と共にこのディジタル画像を印刷部１Ｅに出力することができる。
【００２４】
なお、前記キーワードと一致したデータに関連した情報と、キャプチャー部１Ｇでキャプチャーされた画像データと、を関連付けてメモリ１Ｃに記憶してもよい。この場合、ＣＰＵ１Ａは、メモリ１Ｃに記憶された前記情報と、該情報に関連付けて記憶された前記画像データと、を印刷部１Ｅに出力することができる。また、ＣＰＵ１Ａが付加データ２Ａに画像データが含まれると判定した場合には、メモリ１Ｃは、前記キーワードに関連した情報と、付加データ２Ａに含まれる画像データと、を関連付けて記憶することができる。
【００２５】
ステップＳ４０６では、印刷部１Ｅが、Ｓ４０５で出力されたキーワードに一致したデータに関連した情報と画像データとを印刷する。
【００２６】
図５は、前記文字情報及び放送データを印刷した印刷結果を示す図である。図５に示すように、入力したキーワード「ヤノンタロウ」に関連した情報（例えば、文字情報５Ｅ及びこれに関連する番組名５Ｂ、放送日時５Ｃ、監督名５Ｄ、あらすじ５Ｆ等の情報）と、これに関連する画像データ（放送データのディジタル画像５Ａ）と、を取得し効果的に印刷部１Ｅに出力し、印刷を行うことが出来る。
【００２７】
[第２の実施形態]
次に、本発明の好適な第２の実施形態について説明する。本実施形態では、ＥＰＧ等の電子化されたディジタル番組表から文字情報を選択することによってキーワードを入力するための方法について説明する。
【００２８】
図６は、キーワード入力画面の表示例を示す図である。この画面は、ＥＰＧ等の電子化されたディジタル番組表から文字情報を選択することによってキーワードを入力する画面であり、出演者名のキーワードをＥＰＧ等の番組表欄から選択して入力することができる。例えば、「ヤノン太郎」という出演者名をキーワードとして選択するためには、入力部１Ｆを操作して、ＥＰＧに表示される選択枠６Ａをリモコン操作で、「[出演者]ヤノン太郎」を選択し、キーワード入力欄６Ｂに選択文字列を表示することでなされる。そして、最後に入力ボタン６Ｃをリモコン操作でカーソルで押し下げることでキーワード選択を終了する。
【００２９】
[第３の実施形態]
次に、本発明の好適な第３の実施形態について説明する。本実施形態では、受信部１Ｂで受信した付加データ２Ａに含まれる情報をメモリ１Ｃに記憶し、記憶した情報の一覧表を表示部１Ｄを用いてリスト表示し、前記リストから選択された情報を印刷するための方法について説明する。
【００３０】
図７は、メモリ１Ｃに記録した情報のリスト表示例を示した表であり、例えば、印刷するか否かを選択する印刷選択欄７Ａと、放送日時７Ｂと、チャンネル番号７Ｃと、記録した放送日時を示す記録日時７Ｄと、番組名７Ｅと、放送カテゴリー７Ｆと、監督名７Ｇ、出演者名７Ｈ等の項目と、印刷ボタン６Ｊとキャンセルボタン６Ｋから構成される。そして、カーソルを印刷を所望する行に移動し、例えばリモコンの決定キーを押し下げることによって、印刷マーク（○）７Ｉを付す。リストの中から印刷を所望する情報を全て選択し終えたら、カーソルを印刷ボタン７Ｊに移動し、例えばリモコンの決定ボタンを押し下げることによって、印刷マーク（○）が付された情報を全て印刷部１Ｅを用いて印刷する。また、カーソルをキャンセルボタン７Ｋに移動し、例えばリモコンの決定ボタンを押し下げることによって、印刷マーク（○）を外し、印刷をキャンセルすることができる。
【００３１】
以上説明したように本発明の好適な実施の形態によれば、メタデータからキーワードと合致する文字情報を検索して、検索された文字情報と、前記文字情報に係る文字情報及びキャブチャーされた映像データを印刷部に出力することにより、前記付加データに含まれる文字情報だけでなく、映像を構成する映像データも合わせて印刷し、文字情報と映像データとを印刷物として得ることができる。また、テレビジョン放送の受信装置において、予め所望の放送の内容に関連するキーワードを入力しておくことにより、不在時でも自動的に所望の放送データを記憶・印刷することができる。また、メタデータを構成する文字情報の中からキーワードに関連する文字情報を検索し、放送データと共に記憶・印刷することによって、後から複数の放送データの中から所望の放送データを検索することができる。
【図面の簡単な説明】
【００３２】
【図１】本発明の好適な実施の形態に係る情報処理装置の構成を示すブロック図である。
【図２】テレビジョン放送の受信データの構成を説明する図である。
【図３】キーワード入力画面の表示例を示す図である。
【図４】キーワード検索から放送データを印刷部に出力するまでの処理を説明するフローチャートである。
【図５】本発明の好適な第１の実施の形態に係る情報処理装置における印刷結果を示す図である。
【図６】本発明の好適な第２の実施の形態に係る情報処理装置におけるキーワード選択時の表示画面を示す図である。
【図７】本発明の好適な第３の実施の形態に係る情報処理装置における印刷対象選択時の表示画面を示す図である。
【図１】
2005277936.tif 000003
【図２】
2005277936.tif 000004
【図３】
2005277936.tif 000005
【図４】
2005277936.tif 000006
【図５】
2005277936.tif 000007
【図６】
2005277936.tif 000008
【図７】
2005277936.tif 000009